(57)【要約】【課題】  現代の育児方法の変化、睡眠環境の変化が乳幼児の睡眠にも影響をあたえていることは否めない。即ち乳幼児の自然な睡眠ができているか疑わしい。乳幼児の自然睡眠を手助けできる商品を開発することが解決すべき課題である。【解決手段】  乳幼児と母親の本能的関係から母親の匂いと乳幼児の睡眠に着眼して、母親が添い寝する効果を枕で再現するための乳幼児用枕を考案した。胎児期の羊水、出生時の母乳の匂いが新生児の精神的安心感、一体感をもたらすことから母親の分泌物（乳汁、汗、体臭等）を付着したパッドを枕の中材として挿入して、乳幼児の自然な睡眠を助けるものである。【選択図】        図１
0003108718.tif 000002
【実用新案登録請求の範囲】
【請求項１】
母親を認識する物質を中材に付与したことを特徴とする乳幼児枕
【請求項２】
母親を認識する物質として母親の分泌物（乳汁、汗等の体液）又は体臭を付着または浸漬したパッド等の布類を中材に用いることを特徴とする請求項１に記載の乳幼児枕
【考案の詳細な説明】
【技術分野】
【０００１】  掛け布団、敷き布団、シーツ、毛布等の寝具分野
【背景技術】
【０００２】  従来、幼児から老人向けの枕はそれぞれの要望または睡眠の諸問題解決のために多くの研究、開発が行なわれ、それぞれの年代に適した、そして不眠症等に対応した各種の枕が開発され、商品として販売されている。然るに乳幼児用枕（０歳から５歳）は乳幼児本人が言葉で意思を表せないために、せめて母親により抱いて寝かせる程度であり、多くは母親との接触なく放置されて、人工的な睡眠手段で寝かされている状況にある。しかし、夜泣きで親が不眠になることも多く、母のストレスになっていることは否めない。更に母親または産院医師からの乳幼児用枕改善の要望も少なく、乳幼児用枕に問題点はないものと一般的に認識され、開発は遅れているのが現状であると考えられる。乳幼児は母の匂いと他人の匂いを区別し、母の匂いを好み、母の匂いを嗅ぐとリラックスする。従って乳幼児は母と共に寝るのが理想的であるが、家庭では家事を、職場では仕事を抱えているので添い寝をすることはかなり難しい状況にあると言える。更に核家族化、地域社会の崩壊が進んだ現状では母の代わりになる者が見当たらない。乳幼児が本能的に求めるものを乳幼児枕に用いて、乳幼児の情操と人格形成に重要な睡眠を補助する商品分野における技術が必要である。【０００３】  枕全般及び乳幼児用枕について関係特許及び実用新案について２０００年から２００４年間の公開特許８６５件及び実用新案７９６件を検索の結果、本考案に該当又は類似する件数はゼロであった。
【考案の開示】
【考案が解決しようとする課題】
【０００４】  前述のごとく睡眠時間が多い乳幼児にとって乳幼児用枕による影響は人間形成に大きく影響を与えると見られ、乳幼児にとって睡眠の質が将来の情操及び人格形成に不可欠であると共に成長のためにも重要な因子であることは確実なことである。乳幼児と母親との関係における睡眠の質を医学的見地から関係ある諸文献を参考にすると胎児と羊水の関係、新生児と母親から出る乳の関係は嗅覚シグナルを介して相互に極めて密接な関係にあることが判明している。乳幼児は母親に関する匂いが母親の胎内で認識され、出生後は母親からでる乳の匂いが羊水の匂いとの関連で認識され、更に母親のユニークな特徴を認識する。これらの認識は乳幼児にとって極めて好ましいことであり、本能的にひきつけられるものであると言われている。即ち睡眠において母親の匂いが乳幼児にとって極めて好ましく、乳幼児に安心感が醸成され、自然の睡眠即ち母親が添い寝することにより得られる睡眠がより可能となるものとみられる。（文献：Ｃｈｉｌｄ  Ｄｅｖｅｌｏｐｍｅｎｔ、Ｊｕｎｅ  １９９８、Ｖｏｌｕｍｅ６９、Ｎｕｍｂｅｒ  ３、Ｐａｇｅｓ６１１〜６２３及びＮｅｕｒｏｓｃｉｅｎｃｅ  ａｎｄ  Ｂｉｏｂｅｈａｖｉｏｒａｌ  Ｒｅｖｉｅｗ２３（１９９９）４３９〜４４９を参照）特に現代は母親との関連でのストレスの拡大及び環境変化（騒音、温度上昇、空気汚染等）が乳児の睡眠の質を低下させ、結果として将来に悪い影響を与えていると考えられることは否めない。乳幼児の睡眠に着眼した乳幼児用枕の改善は今までに見られない。乳幼児の睡眠を過去からの伝統と新しい観点から見直すことは今日的な課題である。乳幼児の睡眠を自然のままの状態に戻すための手段を創り出すことにあり、母が添い寝する効果を枕で再現するのが本考案の目的である。
【課題を解決するための手段】
【０００５】  本考案の目的は前述の課題を解決することであり、乳幼児が最も自然体で睡眠に入る因子を追求した結果、母親の胎内での１０ケ月の成長及び出産から授乳に及ぶ母親との一体感、接触感が本能的にあり、乳幼児の睡眠にとって母親との強い関連性が基本的な因子であろうと判断した。故に本考案は母が添い寝する効果を乳幼児枕で再現するのが目的である。乳幼児用枕として当然、枕の構成要素である側地３、中材７、形態、クッション性等を乳幼児にふさわしい枕に構成することを考慮にいれているが、乳幼児睡眠の基本的因子である母親との強い関連性に着眼し、母親の分泌物（乳汁、汗、体臭等）を中材７に用いているパッド１、６に付着又は浸漬した乳幼児用枕を作成することにある。枕の中材となるパッド１、６は睡眠時使用前に母親がブラジャータイプパッド１、腋下パッド６、下着内パッド６として６〜８時間着用したものを又は母乳に浸漬したパッド１，６を乳幼児枕の中材７としてセットするものである。枕の構成は側地３及び中材７は乳児用と幼児用として若干異なるが、母親の匂いパッド１、６が内在した枕である点は同じである。母親から発する好ましい匂いが本能的に乳幼児の自然な睡眠即ち母が添い寝する睡眠を取り戻す事実を考慮し、乳幼児枕を考案して課題解決の手段とした。
【考案の効果】
【０００６】  モニタリングテストを０歳から５歳児について実施した。（１）コントロール枕のみ（２）コントロール枕を用いた母との添い寝（３）本考案の乳幼児枕について各テストを実施し、母親からアンケートをとり、集約した。更に医学的な立場から乳幼児の睡眠状態を観察し、観察所見を得た。個々の所見には若干のバラツキがみられたが、両者の総合的見解から本考案の乳幼児枕は母の添い寝に準ずる睡眠状態であり、従来の一般的な枕に比較して安心感及び安定感があると認められた。
【考案を実施するための最良の形態】
【０００７】  枕は乳児（０〜１才児）と幼児（２〜５才児）に分けて作成する。乳児用枕は側地３として柔らかさがある綿１００％無撚糸タオル地を用いる。中材はパッド１以外用いず、無撚糸タオル生地側地３により厚さを調整すると共に頭部の安定化をはかるために左右両辺に縫い込み２をいれている。使用の際に母親が前以て６〜８時間着用したブラジャータイプパッド１を挿入する。パッド１は綿１００％のガーゼを４〜６枚重ねたブラジャータイプパッド１を用いる。乳児枕サイズは一般的に１０ｃｍ×２０ｃｍとして乳児の頭に合わせて作成する。乳児枕には乳児の頭が安定するようブラジャー型パッド１の内側にブラジャーパットにあわせたサイズで左右共に縫い込み２を作る。枕の高さは２ｃｍ〜４ｃｍとする。パッド１は使用後毎に取出し、家庭洗濯を行い、再使用する。幼児用枕も側地３として柔らかさのある生地を用いる。好ましくは綿１００％の無撚り又は甘撚りの生地を用いる。幼児用枕のサイズは一般的に２０ｃｍ×３０ｃｍとする。中材７は柔軟性がある低反発ウレタン又はソフトタイプの変形パイプビーズを用いる。パッド６は乳児用と同じブイラジャータイプパッド１と長方形タイプパッド６と２種用いることが出来、長方形タイプパット６の素材はガーゼを複数枚たたんで用いる。長方形タイプパッド６のサイズは乳児用と同じであり、使用に際して幼児枕の左右開口５へ挿入する。枕の高さは３ｃｍ〜６ｃｍとする。長方形タイプパッド６は乳幼児枕に使用する前６〜８時間母親が着用したものを開口５から枕に挿入する。使用後の長方形タイプパッド６は必ず家庭洗濯を行い、再使用することができる。
【実施例１】
【０００８】  乳児用としてブラジャータイプパッド１を挿入した、及び無撚糸タオルを側地３とした枕を作成した。試験方法として０才乳児をテスト対象として、睡眠前６時間ブラジャータイプパッド１を母親に着用してもらい、その後に着用済みのブラジャータイプパッド１を乳児用枕に挿入し、乳児の睡眠状況を観察した。（１）寝付くまでの状況把握（２）睡眠中の体の動き観察（３）寝起きまでの時間等を観察結果、安定感及び安心感が比較的に優れていることが判った。
【図面の簡単な説明】
【０００９】
【図１】  「乳児用枕の全体を示した平面図」
【図２】  「乳児用枕の全体を示した側面図」
【図３】  「幼児用枕の全体を示した平面図」
【図４】  「幼児用枕の全体を示した側面図」
【符号の説明】
【００１０】１    ブラジャータイプパッド
２    段差を付ける縫い目
３    側地
４    パッドを入れる開口
５    枕の側地に付いているポケット
６    長方形パッド
７    枕中材
【図１】
0003108718.tif 000003
【図２】
0003108718.tif 000004
【図３】
0003108718.tif 000005
【図４】
0003108718.tif 000006